(57)【要約】【課題】従来から用いられているフックハンガー等の陳列具を取り換えることなく、商品の先入れ先出しを容易にすることが可能な商品補充補助具及びそれを用いた商品補充方法を提供する。【解決手段】商品４、６を吊り下げる長尺部２ｂを有する陳列具２に商品６を補充する際に用いられる商品補充補助具１であって、商品４、６を吊り下げ可能な長尺のロッド部１０と、ロッド部１０の先端部に設けられ、陳列具２の長尺部２ｂの先端部２ａに止着可能な止着部１２とを備える。【選択図】図１
2013048698.tif 000002
【特許請求の範囲】
【請求項１】
商品を吊り下げる長尺部を有する陳列具に商品を補充する際に用いられる商品補充補助具であって、
商品を吊り下げ可能な長尺のロッド部と、
前記ロッド部の先端部に設けられ、前記陳列具の長尺部の先端部に止着可能な止着部とを備える
ことを特徴とする商品補充補助具。
【請求項２】
前記止着部を前記陳列具の長尺部の先端部に止着させた状態において、前記陳列具の長尺部及び前記ロッド部のいずれか一方に吊り下げられている商品を前記陳列具の長尺部及び前記ロッド部のいずれか他方に移動できるように構成されている
ことを特徴とする請求項１に記載の商品補充補助具。
【請求項３】
前記止着部は、マグネット部材を有し、該マグネット部材の磁力により前記陳列具の長尺部の先端部に止着可能に構成されている
ことを特徴とする請求項１又は２に記載の商品補充補助具。
【請求項４】
前記止着部は、前記陳列具の長尺部の先端部に係止可能な凹部若しくは鍔部を有する
ことを特徴とする請求項１乃至３いずれか１項に記載の商品補充補助具。
【請求項５】
前記ロッド部は、商品を吊り下げ可能な領域を変化可能に構成されている
ことを特徴とする請求項１乃至４いずれか１項に記載の商品補充補助具。
【請求項６】
請求項１乃至５いずれか１項に記載の商品補充補助具を用いて行う商品補充方法であって、
前記止着部を前記陳列具の長尺部の先端部に止着させた状態において、前記陳列具の長尺部に吊り下げられている商品を前記ロッド部に移動させる第１工程と、
前記第１工程後に、前記止着部による止着を解除した状態において、前記陳列具の長尺部に、又は前記ロッド部の前記第１工程によって吊下げられた商品よりも先端部側に、新たに補充する商品を吊り下げる第２工程と、
前記第２工程後に、前記止着部を前記陳列具の長尺部の先端部に止着させ、その状態において、前記ロッド部に吊り下げられている商品を前記陳列具の長尺部に移動させる第３工程とを備える
ことを特徴とする商品補充方法。
【発明の詳細な説明】
【技術分野】
【０００１】
本発明は、商店等の陳列具に商品を補充するための商品補充補助具及びそれを用いた商品補充方法に関するものである。
【背景技術】
【０００２】
従来から、商店等の売り場においては、例えば歯ブラシ、靴下、筆記具等の商品や、ねじ、ワッシャー、その他の小物品等をパッケージに収納し、このパッケージの上部に設けられた貫通孔をフックハンガー等の陳列具に掛止させることにより、複数のパッケージ商品等を陳列することが行われている。そして、このようなフックハンガー等の陳列具としては、商品を吊り下げるための棒状の長尺部と、長尺部の基端部に設けられ、商店等の商品陳列用フレームに取り付けるための取付部から構成されるものが広く用いられている（特許文献１）。
【０００３】
しかしながら、このような従来のフックハンガーでは、長尺部の前方側からしか商品を補充することができず、先入れ先出しを行うためには現在陳列されている古い商品をひとつひとつ長尺部から取り外し、再度ひとつひとつ長尺部に戻すという作業を行う必要があるため、商品の補充作業に手間と時間が掛かるという問題がある。ここで、先入れ先出しとは、先に仕入れた商品（古い商品）が新しく仕入れた商品（新入荷商品）よりも前側に陳列されるように、新入荷商品を古い商品の奥側に補充することをいい、陳列商品の品質が長期滞留によって劣化することを防止するために商店等において一般的に行われている行為である。
【０００４】
一方、このような問題を解決するために、長尺部を取付部に対して着脱自在に構成することにより、先入れ先出しを容易にした陳列具が知られている（特許文献２）。
【先行技術文献】
【特許文献】
【０００５】
【特許文献１】実開昭６１−２１３５８号公報
【特許文献２】特開２００３−２３５６９５号公報
【発明の概要】
【発明が解決しようとする課題】
【０００６】
しかしながら、特許文献２の陳列具は、従来から広く用いられている特許文献１の陳列具に変わって用いられるものであることから、売り場全体の陳列具を取り換える必要が生じ、取り換えコストや取り換えの手間が掛かるという問題がある。また、特許文献２の陳列具は、長尺部が取付部に対して着脱自在であることから、重量の重い商品を陳列することができないという問題がある。このような観点から、商店等においては、現在使用している陳列具を取り換えることなく、商品の先入れ先出しを容易にすることが望まれている。
【０００７】
そこで、本発明は、従来から用いられているフックハンガー等の陳列具を取り換えることなく、商品の先入れ先出しを容易にすることが可能な商品補充補助具及びそれを用いた商品補充方法を提供することを目的とする。
【課題を解決するための手段】
【０００８】
以上の目的を達成するため、本発明に係る商品補充補助具は、商品を吊り下げる長尺部を有する陳列具に商品を補充する際に用いられる商品補充補助具であって、商品を吊り下げ可能な長尺のロッド部と、前記ロッド部の先端部に設けられ、前記陳列具の長尺部の先端部に止着可能な止着部とを備えることを特徴とする。
【０００９】
このような構成を備える本発明に係る商品補充補助具は、陳列具の長尺部に吊り下げられている複数の古い商品をまとめて商品補充補助具のロッド部に移動させ、空いた陳列具の長尺部に、又はロッド部に移動された古い商品よりもロッド部の先端部側に新しい商品を補充し、その後、ロッド部に吊り下げられている商品をまとめて陳列具の長尺部に移動させることを可能にすることができる。このように、本発明に係る商品補充補助具によれば、新しい商品の補充にあたって、複数の古い商品の陳列具からの取り外し及び陳列具への戻し動作をまとめて行うことが可能となるため、商品の先入れ先出しを容易にし、商品の補充作業に掛かる手間と時間を軽減することができる。また、本発明に係る商品補充補助具は、従来から用いられているフックハンガー等の陳列具に対して用いることができるため、売り場全体の陳列具を取り換える必要がない。さらに、本発明に係る商品補充補助具は、陳列具の長尺部の先端部に止着可能な止着部が設けられていることにより、陳列具に対する商品補充補助具の位置決めを確実に行うことができ、商品の移動の際に陳列具及び商品補充補助具から商品が落下することを防止して商品の移動を円滑に行うことができるため、商品補充の作業効率を向上させ、商品補充の作業時間の短縮を図ることができる。
【００１０】
また、本発明に係る商品補充補助具は、前記止着部を前記陳列具の長尺部の先端部に止着させた状態において、前記陳列具の長尺部及び前記ロッド部のいずれか一方に吊り下げられている商品を前記陳列具の長尺部及び前記ロッド部のいずれか他方に移動できるように構成されていることが好ましい。このような構成は、例えば、ロッド部が、止着部を陳列具の長尺部の先端部に止着させた際に、陳列具の長尺部とロッド部とにより連続した移動経路が形成されるような形状を有することにより、実現することができる。すなわち、例えば図２（ａ）に示すような、長尺部が緩やかに上方に屈曲している陳列具に対しては、先端部近傍が直線状又は陳列具の長尺部の屈曲に整合させた角度で屈曲した形状に形成されたロッド部とし、例えば図８に示すような、長尺部が鉛直方向上方に９０度屈曲している陳列具に対しては、先端部近傍が概ね９０度程度屈曲した形状に形成されたロッド部とすることにより、止着部を陳列具の長尺部の先端部に止着させた際に、陳列具の長尺部とロッド部とにより連続した移動経路を形成させることができる。
【００１１】
本発明に係る商品補充補助具において、前記止着部は、マグネット部材を有し、該マグネット部材の磁力により前記陳列具の長尺部の先端部に止着可能に構成されていることが好ましい。従来から用いられているフックハンガー等の陳列具は、一般に、金属から形成されているところ、本発明に係る商品補充補助具のように止着部がマグネット部材を有することにより、マグネット部材の磁力によって商品補充補助具の止着部が陳列具の長尺部の先端部に引き寄せられるため、陳列具の長尺部の先端部に対する商品補充補助具の先端部の位置合わせを容易に行うことができる。また、このようにマグネット部材の磁力により陳列具の長尺部の先端部に止着させるように構成することにより、止着部の構造を簡略化することができ、商品補充補助具の製造コストを低減させることができる。
【００１２】
また、本発明に係る商品補充補助具において、前記止着部は、前記陳列具の長尺部の先端部に係止可能な凹部若しくは鍔部を有することが好ましい。このように、止着部が凹部若しくは鍔部を有することにより、比較的重量が重い商品であっても、陳列具の長尺部からロッド部に商品を移動させる際及びロッド部から陳列具の長尺部に商品を移動させる際に、商品補充補助具が陳列具の長尺部の先端部から外れることをより確実に防止し、陳列具及び商品補充補助具から商品が落下することをより確実に防止することができる。
【００１３】
さらに、本発明に係る商品補充補助具において、前記ロッド部は、商品を吊り下げ可能な領域を変化可能に構成されていることが好ましい。このようにロッド部が商品を吊り下げ可能な領域を変化可能に構成されることにより、商品を吊り下げ可能な領域を縮小した状態においては持ち運びや収納が容易で、かつ商品を吊り下げ可能な領域を拡大した状態においては商品の吊り下げスペースを広く取ることができるため、利便性に優れた商品補充補助具とすることができる。このように商品を吊り下げ可能な領域を変化可能なロッド部の構成としては、例えば、後述する第２実施形態に係る商品補充補助具のように、第１乃至第４円筒部材をそれぞれ相対的に摺動させることによってロッド部を軸方向に伸縮させる構成や、ロッド部に１以上の関節を形成し、ロッド部の折り畳み及びその解除によってロッド部を軸方向に伸縮させる構成や、後述する第３実施形態に係る商品補充補助具のように、ロッド部の一部を覆うカバー部材を設け、このカバー部材に対するロッド部の回動又は摺動によってロッド部の露出領域を変化させる構成や、ロッド部に着脱可能な別部材からなる拡張部材を着脱させることによって商品を吊り下げ可能な領域を変化させる構成等を採用することができる。
【００１４】
またさらに、本発明に係る商品補充補助具は、少なくとも前記ロッド部の軸方向と平行な位置から前記ロッド部の軸方向と直交する方向まで回動する長尺な回動部材を更に備えることが好ましく、これにより、上述した商品補充補助具に、陳列具の長尺部に吊り下げられている商品の前出し機能を付与することができる。すなわち、回動部材をロッド部の軸方向と直交する方向まで回動させた状態において、この回動部材を最後部に位置する商品の背面に当接させ、商品補充補助具を手前に引くことにより、陳列具の長尺部の先端部側に商品を移動させること（商品を前出しすること）ができる。
【００１５】
本発明に係る商品補充方法は、上記商品補充補助具を用いて行う商品補充方法であって、前記止着部を前記陳列具の長尺部の先端部に止着させた状態において、前記陳列具の長尺部に吊り下げられている商品を前記ロッド部に移動させる第１工程と、前記第１工程後に、前記止着部による止着を解除した状態において、前記陳列具の長尺部に、又は前記ロッド部の前記第１工程によって吊下げられた商品よりも先端部側に、新たに補充する商品を吊り下げる第２工程と、前記第２工程後に、前記止着部を前記陳列具の長尺部の先端部に止着させ、その状態において、前記ロッド部に吊り下げられている商品を前記陳列具の長尺部に移動させる第３工程とを備えることを特徴とする。
【００１６】
このように、本発明に係る商品補充方法によれば、上述した商品補充補助具を用いることにより、従来から用いられているフックハンガー等の陳列具に対して、商品の先入れ先出しを容易に行うことができる。また、止着部を陳列具の長尺部の先端部に止着させて位置決めさせた状態において商品の移動を行うことにより、商品の移動の際に陳列具及び商品補充補助具から商品が落下することを防止して商品の移動を円滑に行うことができるため、商品補充の作業効率を向上させ、商品補充の作業時間の短縮を図ることができる。
【発明の効果】
【００１７】
以上のように、本発明によれば、従来から用いられているフックハンガー等の陳列具を取り換えることなく、商品の先入れ先出しを容易にすることが可能な商品補充補助具及びそれを用いた商品補充方法を提供することができる。
【図面の簡単な説明】
【００１８】
【図１】本発明の第１実施形態に係る商品補充補助具の概略構成を示す正面図である。
【図２】第１実施形態に係る商品補充補助具を用いて商品の補充を行う方法のうち、古い商品を商品補充補助具に移動させる工程を示す工程図である。
【図３】第１実施形態に係る商品補充補助具を用いて商品の補充を行う方法のうち、新入荷商品を補充する工程を示す工程図である。
【図４】本発明の第２実施形態に係る商品補充補助具の概略構成を示す正面図である。
【図５】図５（ａ）は、本発明の第３実施形態に係る商品補充補助具の概略構成を示す正面図である。図５（ｂ）は、第３実施形態に係る商品補充補助具のロッド部を伸長させた状態を示す概略正面図である。図５（ｃ）は、第３実施形態に係る商品補充補助具の回動部材を回動させた状態を示す概略正面図である。
【図６】図５（ａ）のＡ−Ａ´線に沿った部分断面図である。
【図７】図７（ａ）は、本発明の第４実施形態に係る商品補充補助具の概略構成を示す部分断面図である。図７（ｂ）は、第４実施形態に係る商品補充補助具の回動部材を回動させた状態を示す概略正面図である。
【図８】本発明の第５実施形態に係る商品補充補助具の概略構成を示す部分断面図である。
【図９】本発明の第６実施形態に係る商品補充補助具の概略構成を示す正面斜視図である。
【発明を実施するための形態】
【００１９】
次に、本発明の第１実施形態に係る商品補充補助具について、図１を用いて説明する。第１実施形態に係る商品補充補助具１は、図１に示すように、商品を吊り下げ可能な長尺のロッド部１０と、ロッド部１０の先端部に設けられた止着部１２とから構成されている。
【００２０】
ロッド部１０は、例えばステンレス等の金属やプラスチック等の樹脂等から形成されており、対象とする商品に設けられた貫通孔やフック等が掛止可能な程度の径、及びロッド部１０の基端部側（図１中、右側）を使用者が把時した状態で複数の商品を吊り下げることができる程度の軸方向の長さを有する長尺な円柱状に形成されている。このロッド部１０は、複数の商品を吊り下げた際に折れ曲がって破損しない程度の強度（剛性）を有している。ロッド部１０の径は、商品に設けられている貫通孔やフック等の大きさ及び形状等に応じて適宜選択することができるが、商品の陳列具であるフックハンガー２の径と概ね同径若しくはやや小さい径であれば、確実に商品の貫通孔やフック等が掛止可能である。また、ロッド部１０の長さは、対象とする商品の大きさ、形状及び重量等に応じて適宜選択することができるが、例えば対象とする商品が歯ブラシ、靴下、筆記具等の商品や、ねじ、ワッシャー、その他の小物品等をパッケージしたものである場合には、十数ｃｍから数十ｃｍ程度、すなわち、例えばシャープペン等のペン類と同程度若しくはやや長い長さで十分である。このように、ロッド部１０をペン類と同程度若しくはやや長い長さに形成する場合には、持ち運びや収納等が容易となり、利便性を向上させることができる。
【００２１】
止着部１２は、例えばロッド部１０の先端部（図１中、左側の端部）に固定されたマグネット部材であり、陳列具であるフックハンガー２の長尺部２ｂの先端部２ａに磁力により接着可能、すなわち、止着可能に構成されている。この止着部１２は、対象とする商品に設けられた貫通孔やフック等が通過可能な程度の大きさ及び形状に形成されている。
【００２２】
次に、第１実施形態に係る商品補充補助具１を用いて新入荷商品６の補充を行う方法について、図２及び図３を用いて説明する。第１実施形態に係る商品補充補助具１は、先入れ先出し、すなわち、新しく仕入れた商品（新入荷商品６）を先に仕入れた商品（古い商品４）の奥側に補充するために用いられるものである。具体的には、まず、一方の手（例えば右手）で商品補充補助具１を把時した状態において、図２（ａ）に示すように、フックハンガー２の長尺部２ｂと商品補充補助具１のロッド部１０とにより連続した移動経路が形成されるように、フックハンガー２の先端部２ａに止着部１２を接着させる。次に、図２（ｂ）に示すように、止着部１２をフックハンガー２の先端部２ａに接着させた状態において、他方の手（例えば左手）によって、フックハンガー２の長尺部２ｂに吊り下げられている古い商品４を、フックハンガー２の長尺部２ｂ及びロッド部１０に沿って摺動させ、ロッド部１０に移動させる。この際、古い商品４が自重によって摺動しないように、水平方向と平行にロッド部１０を把時しても良いし、古い商品４が自重によってロッド部１０の基端部側（図２（ｂ）中、右側）に摺動するように、ロッド部１０を基端部が下方側に位置するように傾けて把時しても良い。そして、図２（ｃ）に示すように、ロッド部１０に古い商品４が吊り下げられている状態において止着部１２による接着を解除させ、商品補充補助具１をフックハンガー２から離間させる。
【００２３】
次に、図３（ａ）に示すように、止着部１２による接着を解除させた状態（商品補充補助具１がフックハンガー２から離間された状態）において、他方の手（例えば左手）によって、フックハンガー２の長尺部２ｂに新入荷商品６を補充する。なお、新入荷商品６は、フックハンガー２の長尺部２ｂではなく、ロッド部１２の古い商品４よりも先端部側（図３（ａ）中、左側）に吊り下げても良い。また、新入荷商品６の補充時において商品補充補助具１は、一方の手（例えば右手）によって把持していても良いし、作業台等に一時的に置いても良い。その後、図３（ｂ）に示すように、フックハンガー２の先端部２ａに止着部１２を再度接着させると共に、図３（ｃ）に示すように、止着部１２をフックハンガー２の先端部２ａに接着させた状態において、他方の手（例えば左手）によって、ロッド部１０に吊り下げられている古い商品４（及び新入荷商品６）を、ロッド部１０及びフックハンガー２の長尺部２ｂに沿って摺動させ、フックハンガー２の長尺部２ｂに移動させる。そして、図３（ｄ）に示すように、止着部１２による接着を解除させ、商品補充補助具１をフックハンガー２から離間させることにより、新入荷商品６の補充が完了する。
【００２４】
このように、第１実施形態に係る商品補充補助具１を用いて新入荷商品６の補充を行う方法によれば、新入荷商品６の補充にあたって、複数の古い商品４のフックハンガー２からの取り外し及びフックハンガー２への戻し動作をまとめて行うことが可能となるため、商品の先入れ先出しを容易にし、商品の補充作業に掛かる手間と時間を軽減することができる。また、第１実施形態に係る商品補充補助具１を用いて新入荷商品６の補充を行う方法によれば、止着部１２をフックハンガー２の先端部２ａに接着させて位置決めさせた状態において古い商品４（及び新入荷商品６）の移動を行うため、古い商品４（及び新入荷商品６）がフックハンガー２及び商品補充補助具１から落下することを防止することができる。
【００２５】
次に、本発明の第２実施形態に係る商品補充補助具について、図４を用いて説明する。第２実施形態に係る商品補充補助具１００において、第１実施形態に係る商品補充補助具と同様の構成については、詳細な説明を省略し、異なる構成についてのみ説明する。また、第２実施形態に係る商品補充補助具１００を用いて商品の補充を行う方法は、第１実施形態に係る商品補充補助具を用いて商品の補充を行う方法と同様であるため、その説明を省略する。
【００２６】
第２実施形態に係る商品補充補助具１００は、第１実施形態に係る商品補充補助具１と同様に、商品を吊り下げ可能な長尺のロッド部１１０と、ロッド部１１０の先端部に設けられた止着部１１２とから構成されている。
【００２７】
ロッド部１１０は、第１実施形態に係る商品補充補助具１のロッド部１０と異なり、図４に示すように、径の異なる複数の円筒部材１１０ａ乃至１１０ｄが同軸となるように（すなわち、軸方向と直交する方向の断面が同心円状となるように）、入れ子状に設けられることにより構成されている。具体的には、ロッド部１１０は、最も径が小さく最も内側に位置する第１円筒部材１１０ａの外周面上に、第１円筒部材１１０ａの外径と概ね同径の内径を有する第２円筒部材１１０ｂが設けられ、第２円筒部材１１０ｂの外周面上に、第２円筒部材１１０ｂの外径と概ね同径の内径を有する第３円筒部材１１０ｃが設けられ、第３円筒部材１１０ｃの外周面上に、第３円筒部材１１０ｃの外径と概ね同径の内径を有する第４円筒部材１１０ｄが設けられることにより、構成されている。これら第１乃至第４円筒部材１１０ａ乃至１１０ｄは、例えばやや先細りとなるテーパー状に形成される等の周知の構成により、それぞれ抜け落ちが防止されている。このように構成されたロッド部１１０は、第１乃至第４円筒部材１１０ａ乃至１１０ｄをそれぞれ相対的に摺動させることにより、軸方向に伸縮させ、適宜長さを変化させることができる。また、ロッド部材１１０の基端部には、商品補充補助具１００を例えば使用者の胸ポケットの縁等に取り付けることを可能とするクリップ１１４が設けられている。
【００２８】
第２実施形態に係る商品補充補助具１００によれば、ロッド部を短縮させた状態においては、例えば胸ポケット等に入れて持ち運ぶことや、ペン立てに入れて収納させることが可能となり、また、ロッド部を伸ばした状態においては、長尺な部分が長くなるためより多くの商品を吊り下げることが可能となるため、利便性を向上させることができる。
【００２９】
次に、本発明の第３実施形態に係る商品補充補助具について、図５（ａ）乃至図５（ｃ）及び図６を用いて説明する。第３実施形態に係る商品補充補助具２００において、第１及び第２実施形態に係る商品補充補助具と同様の構成については、詳細な説明を省略し、異なる構成についてのみ説明する。また、第３実施形態に係る商品補充補助具２００を用いて商品の補充を行う方法は、第１及び第２実施形態に係る商品補充補助具を用いて商品の補充を行う方法と同様であるため、その説明を省略する。
【００３０】
第３実施形態に係る商品補充補助具２００は、図５（ａ）及び図６に示すように、円柱形状のロッド部２１０と、ロッド部２１０の先端部に設けられた止着部２１２と、ロッド部２１０の基端部２１０ｂに設けられたカバー部材２１４と、カバー部材２１４に設けられた回動部材２１６とを備えている。
【００３１】
カバー部材２１４は、例えばステンレス等の金属やプラスチック等の樹脂等から形成されており、ロッド部２１０の周面に沿った半円筒形状に形成されている。このカバー部材２１４は、ロッド部２１０の軸方向の長さの概ね半分程度の軸方向の長さを有している。なお、カバー部材２１４の軸方向の長さは、特に限定されるものではないが、ロッド部２１０の軸方向の長さよりも短いことが好ましい。カバー部材２１４の先端部（図５（ａ）及び図６中、右側の端部）の外周には、回動部材２１６を回動自在に支持するための一対のフランジ２１５、２１５が設けられている。
【００３２】
ロッド部２１０は、第１実施形態に係る商品補充補助具１のロッド部１０と同様に、所定の径及び長さを有する円柱状に形成されている。ロッド部２１０の先端部には、先端側（図６中、右側）に向けて開口が形成されるように、止着部２１２の後述するマグネット部材２１２ａを保持可能な凹部２１０ａが形成されている。この凹部２１０ａは、フックハンガーの先端部の外径と概ね同径若しくはやや大きい内径を有している。このロッド部２１０は、ロッド部材２１０の周面の一の半周部分がカバー部材２１４の内面に沿った状態（図５（ａ）に示す状態）から、ロッド部材２１０の周面の他の半周部分がカバー部材２１４の内面に沿った状態（図５（ｂ）に示す状態）までカバー部材２１４に対して１８０度回動可能なように、その基端部２１０ｂが軸２１８によってカバー部材２１４の内面に取り付けられている。このロッド部２１０の基端部２１０ｂは、カバー部材２１４の軸方向の中心よりもカバー部材２１４の軸方向の基端部（図５及び図６中、左側の端部）寄りに取り付けられている。このように、ロッド部２１０の基端部２１０ｂをカバー部材２１４の軸方向の中心よりも端部寄りに取り付けることが、ロッド部材２１０の収納状態（図５（ａ）に示す状態）と使用状態（図５（ｂ）に示す状態）におけるロッド部材２１０の長さの変化を大きくさせるために好ましい。
【００３３】
止着部２１２は、図６に示すように、磁力によりフックハンガーの先端部に止着（接着）可能なマグネット部材２１２ａと、フックハンガーの先端部に係止可能な凹部２１２ｂとから構成されている。マグネット部材２１２ａは、ロッド部２１０の凹部２１０ａ内に埋設されており、このマグネット部材２１２ａの表面と、ロッド部２１０の凹部２１０ａの内壁とによって、止着部２１２の凹部２１２ｂが形成されている。この止着部２１２は、凹部２１２ｂ内にフックハンガーの先端部を嵌め込ませた状態で、マグネット部材２１２ａによってフックハンガーの先端部に接着するように構成されている。
【００３４】
回動部材２１６は、カバー部材２１４に回動自在に支持された有底筒状の外側部材２１６ａと、外側部材２１６ａ内に設けられた内側部材２１６ｂとを有している。外側部材２１６ａは、カバー部材２１４の軸方向の長さよりもやや短い長さを有する長尺な有底筒状に形成されている。この外側部材２１６ａは、少なくともロッド部２１０の軸方向と平行な状態（図５（ａ）及び図５（ｂ）に示す状態）から、ロッド部２１０の軸方向と直交する状態（図５（ｃ）に示す状態）までカバー部材２１４に対して９０度程度回動可能なように、その基端部（底部）が、一対のフランジ２１５、２１５間に架け渡された軸２１９によって支持されている。内側部材２１６ｂは、外側部材２１６ａと概ね同じ軸方向の長さを有する長尺な柱状に形成されている。この内側部材２１６ｂは、内側部材２１６ｂが外側部材２１６ａ内に収納された状態（図５（ａ）、図５（ｂ）及び図６に示す状態）から、内側部材２１６ｂの大部分が外側部材２１６ａの先端部（開口部）から突出した状態（図５（ｃ）に示す状態）まで外側部材２１６ａに対して摺動可能に設けられている。また、外側部材２１６ａには、商品補充補助具２００を例えば使用者の胸ポケットの縁等に取り付けることを可能とするクリップ部２２０が設けられている。
【００３５】
このように構成された第３実施形態に係る商品補充補助具２００は、ロッド部材２１０の概ね半分乃至３分の１程度がカバー部材２１４内に収納された収納状態（図５（ａ）に示す状態）において、例えば使用者の胸ポケット等に保管される。そして、例えば既に陳列具に吊り下げられている古い商品を前出しする必要が生じた際に、ロッド部材２１０のほぼ全体がカバー部材２１４から露出された状態（図５（ｂ）に示す状態）となるように、ロッド部材２１０をカバー部材２１４に対して１８０度回動させる。また、このロッド部材２１０の回動の前後若しくは同時に、回動部材２１６の外側部材２１６ａをロッド部２１０の軸方向と直交する状態（図５（ｃ）に示す状態）までカバー部材２１４に対して９０度回動させると共に、内側部材２１６ｂの大部分が外側部材２１６ａの先端部（開口部）から突出した状態（図５（ｃ）に示す状態）となるように、外側部材２１６ａから内側部材２１６ｂを引き出す。このような状態の商品補充補助具２００によれば、回動部材２１６を陳列具の最後部に位置する古い商品の背面に当接させた後、商品補充補助具２００を手前に引くことにより、古い商品を陳列具の先端部側に移動させること（前出しすること）ができる。また、第３実施形態に係る商品補充補助具２００は、第１及び第２実施形態に係る商品補充補助具を用いて商品の補充を行う方法と同様の方法により、新入荷商品の補充を行うことができる。
【００３６】
次に、本発明の第４実施形態に係る商品補充補助具について、図７（ａ）及び図７（ｂ）を用いて説明する。第４実施形態に係る商品補充補助具３００において、ロッド部３１０及び止着部３１２の構成は、第３実施形態に係る商品補充補助具と同様であるため、その詳細な説明を省略する。また、第４実施形態に係る商品補充補助具３００を用いて商品の補充を行う方法は、第１乃至第３実施形態に係る商品補充補助具を用いて商品の補充を行う方法と同様であるため、その説明を省略する。
【００３７】
第４実施形態に係る商品補充補助具３００は、図７（ａ）及び図７（ｂ）に示すように、円柱形状のロッド部３１０と、ロッド部３１０の先端部に設けられた止着部３１２と、ロッド部３１０の基端部に設けられた回動部材３１６とを備えている。
【００３８】
回動部材３１６は、例えばステンレス等の金属やプラスチック等の樹脂等から形成されており、ロッド部３１０の基端部に軸３１８によって回動自在に取り付けられた内側部材３１６ｂと、内側部材３１６ｂの外周面上に軸方向に摺動可能に設けられた外側部材３１６ａとを備えている。
【００３９】
内側部材３１６ｂは、図７（ａ）に示すように、ロッド部３１０の周面に沿った半円筒形状に形成されており、ロッド部３１０の基端部側（図７（ａ）中、右側）の端部が側面３１７によって閉塞されている。この内側部材３１６ｂは、ロッド部３１０の軸方向の長さの概ね３分の１程度の軸方向の長さを有している。また、内側部材３１６ｂには、商品補充補助具３００を例えば使用者の胸ポケットの縁等に取り付けることを可能とするクリップ部３２０が設けられている。このクリップ部３２０の先端部には、後述する外側部材３１６ａのスリット３１９に挿入される突出部３２０ａが形成されている。
【００４０】
外側部材３１６ａは、内側部材３１６ｂの外周面に沿った半円筒形状に形成されており、内側部材３１６ｂの外周面上を軸方向に摺動可能に構成されている。この外側部材３１６ａは、内側部材３１６ｂのクリップ部３２０の基端部から内側部材３１６ｂの先端側（図７（ａ）中、左側）の端部に亘る軸方向の長さを有している。外側部材３１６ａの外周面には、外側部材３１６ａの内側部材３１６ｂに対する摺動距離に相当する軸方向（図７（ａ）中、左右方向）の長さを有するスリット３１９が形成されている。
【００４１】
このように構成された第４実施形態に係る商品補充補助具３００は、回動部材３１６がロッド部３１０の周面に沿った状態（図７（ａ）に示す状態）において、例えば使用者の胸ポケット等に保管される。そして、例えば既に陳列具に吊り下げられている古い商品を前出しする必要が生じた際に、回動部材３１６の内側部材３１６ｂをロッド部３１０の軸方向と直交する状態（図７（ｂ）に示す状態）までロッド部３１０に対して９０度回動させると共に、外側部材３１６ａを内側部材３１６ｂに対して摺動させて回動部材３１６の軸方向の長さを長くする。この際、内側部材３１６ｂの側面３１７がロッド部３１０に接触することにより、回動部材３１６の９０度以上の回動を規制することができ、また、外側部材３１６ａのスリット３１９の基端側（図７（ａ）中、右側）の縁に内側部材３１６ｂのクリップ部３２０の突出部３２０ａが接触することにより、内側部材３１６ｂからの外側部材３１６ａの脱落を防止することができる。このような状態の商品補充補助具３００によれば、回動部材３１６を陳列具の最後部に位置する古い商品の背面に当接させた後、商品補充補助具３００を手前に引くことにより、古い商品を陳列具の先端部側に移動させること（前出しすること）ができる。
【００４２】
次に、本発明の第５実施形態に係る商品補充補助具について、図８を用いて説明する。第５実施形態に係る商品補充補助具４００において、第１乃至第４実施形態に係る商品補充補助具と同様の構成については、詳細な説明を省略し、異なる構成についてのみ説明する。また、第５実施形態に係る商品補充補助具４００を用いて商品の補充を行う方法は、第１乃至第４実施形態に係る商品補充補助具を用いて商品の補充を行う方法と同様であるため、その説明を省略する。
【００４３】
第５実施形態に係る商品補充補助具４００は、第１実施形態に係る商品補充補助具１と同様に、商品を吊り下げ可能な長尺のロッド部４１０と、ロッド部４１０の先端部に設けられた止着部４１２とから構成されている。
【００４４】
ロッド部４１０は、第１実施形態に係る商品補充補助具１のロッド部１０と異なり、図８に示すように、先端部近傍が概ね９０度程度屈曲して形成されている。止着部４１２は、第１実施形態に係る商品補充補助具１の止着部１２と異なり、ロッド部４１０の先端に底部の外表面が接合された有底筒状の凹状部材４１２ｂと、この凹状部材４１２ｂの内部に設けられたマグネット部材４１２ａとから構成されている。この凹状部材４１２ｂは、マグネット部材４１２ａの表面と凹状部材４１２ｂの内壁とによって、フックハンガー２´の先端部２´ａが係止可能な凹部が形成されるような径及び高さ方向の長さ（深さ）を有している。このように構成された止着部４１２は、第３実施形態に係る商品補充補助具２００の止着部２１２と同様に、凹状部材４１２ｂ（凹部）内にフックハンガー２´の先端部２´ａを嵌め込ませた状態で、マグネット部材４１２ａによってフックハンガー２´の先端部２´ａに接着することができる。このように、第５実施形態に係る商品補充補助具４００によれば、長尺部２´ｂが鉛直方向上方に屈曲しているフックバー２´であっても、支障なく商品の補充を行うことができる。
【００４５】
次に、本発明の第６実施形態に係る商品補充補助具について、図９を用いて説明する。第６実施形態に係る商品補充補助具５００は、第１実施形態に係る商品補充補助具１と止着部の構成のみが異なるため、止着部の構成のみを説明し、ロッド部５１０の構成及び第６実施形態に係る商品補充補助具５００を用いて商品の補充を行う方法については、その説明を省略する。
【００４６】
第６実施形態に係る商品補充補助具５００の止着部５１２は、例えばステンレス等の金属やプラスチック等の樹脂等から形成されており、図９に示すように、円筒の半周部分を切り欠いた半円筒形状の鍔部５１２ａを有している。この鍔部５１２ａは、フックハンガーの先端部に係止可能、すなわち、陳列具の先端部に係り合って止まることが可能な大きさ及び形状を有している。このような構成を備える第６実施形態に係る商品補充補助具５００の止着部５１２によれば、第１乃至第５実施形態に係る商品補充補助具と異なり、マグネット部材の磁力によりフックハンガーの先端部に接着することなく、鍔部５１２ａによる係止のみによってフックバーの先端部に止着することができる。
【００４７】
本発明に係る商品補充補助具は、上述した実施形態に限定されるものではなく、本発明の技術思想を逸脱しない範囲内において種々の改変を行なうことができる。例えば、ロッド部は、商品を一時的に吊り下げ可能であれば、いかなる態様のものであっても良い。また、止着部は、陳列具の先端部に止着可能、すなわち、陳列具の先端部に動かないように着くことができるものであれば、磁力による接着や凹部又は鍔部による係止に限定されず、例えば粘着力により接着する粘着部を備える態様等、いかなる態様のものであっても良い。さらに、ロッド部及び止着部は、一体として形成されても良いし、マグネット部材と凹状部材や鍔部等、それぞれ異なる部材を組み合わせることにより形成されても良い。
【００４８】
また、第２実施形態に係る商品補充補助具において、ロッド部は、第１乃至第４円筒部材１１０ａ乃至１１０ｄをそれぞれ相対的に摺動させることによって軸方向に伸縮されるものであるとしたが、これに限定されず、商品を吊り下げ可能な領域を変化可能に構成されていれば良く、例えばロッド部に１以上の関節を形成して１回以上折り畳み可能な構成とし、ロッド部の折り畳み及びその解除によって軸方向に伸縮されるものであるとしても良いし、また、例えばロッド部に着脱可能な別部材からなる拡張部材を更に設け、この拡張部材をロッド部に装着させることによってロッド部の軸方向の長さを拡張させるように構成しても良い。また、第３実施形態に係る商品補充補助具は、ロッド部２１０の一部を覆うカバー部材２１４を設け、このカバー部材２１４に対するロッド部２１０の回動によってロッド部２１０の露出領域、すなわち商品を吊り下げ可能な領域を変化させる構成としたが、これに限定されず、例えばカバー部材をロッド部の軸方向に沿って摺動可能に構成し、カバー部材に対するロッド部の摺動によってロッド部の露出領域を変化させる構成としても良い。
【００４９】
さらに、第１乃至第５実施形態に係る商品補充補助具において、止着部は、マグネット部材の磁力により陳列具の先端部に接着するとしたが、これに限定されず、例えば第６実施形態に係る商品補充補助具のように、止着部に陳列具の先端部に係止可能、すなわち、陳列具の先端部に係り合って止まることが可能な凹部若しくは鍔部を設け、この凹部若しくは鍔部による係止のみによって陳列具の先端部に止着するとしても良い。
【００５０】
またさらに、第３及び第４実施形態に係る商品補充補助具において、回動部材は、外側部材及び内側部材を有し、その長さを可変のものとしたが、これに限定されず、少なくともロッド部の軸方向と平行な方向からロッド部の軸方向と直交する方向まで回動し、商品の前出しに用いることができるものであれば、いかなる態様のものであっても良い。
【符号の説明】
【００５１】
１、１００、２００、３００、４００、５００  商品補充補助具
１０、１１０、２１０、３１０、４１０、５１０  ロッド部
１２、１１２、２１２、３１２、４１２、５１２  止着部
【図１】
2013048698.tif 000003
【図２】
2013048698.tif 000004
【図３】
2013048698.tif 000005
【図４】
2013048698.tif 000006
【図５】
2013048698.tif 000007
【図６】
2013048698.tif 000008
【図７】
2013048698.tif 000009
【図８】
2013048698.tif 000010
【図９】
2013048698.tif 000011